(57)【要約】【課題】  比較的小さい撮像素子を用いる一眼レフカメラにも対応可能で、コンパクトなリレー式ファインダー光学系とそれを用いた一眼レフカメラ。【解決手段】  対物光学系２により１次結像位置１２に形成された被写体像を２次結像位置１７に再結像させるリレー光学系と、接眼光学系２７〜２９とを備えたファインダー光学系であり、リレー光学系は、正屈折力のＦＰレンズ群、負屈折力のＮレンズ群、正屈折力のＲＰレンズ群を有し、ＦＰレンズ群は、正屈折力の第１レンズ２１及び正屈折力の第２レンズ２２から構成され、Ｎレンズ群は、負屈折力の第３レンズ２３で構成され、ＲＰレンズ群は、負屈折力の第４レンズ及び正屈折力の第５レンズで構成され、ＦＰレンズ群、Ｎレンズ群、ＲＰレンズ群の合成焦点距離をｆ1r、１次結像位置と第１レンズの１次結像位置側の光軸上の距離をｄ1 としたとき、０．３＜ｄ1 ／ｆ1r＜３を満足する。【選択図】        図５
2006259476.tif 000002
【特許請求の範囲】
【請求項１】
対物光学系により１次結像位置に形成された１次結像としての被写体像を２次結像位置に再結像させるリレー光学系と、前記リレー光学系により再結像された像を観察する接眼光学系とを備えたファインダー光学系において、
前記リレー光学系は、正屈折力のＦＰレンズ群、負屈折力のＮレンズ群、正屈折力のＲＰレンズ群を有し、  
前記正屈折力のＦＰレンズ群は、正の屈折力を有する第１レンズ及びその接眼光学系側に配された正の屈折力を有する第２レンズから構成され、
前記負屈折力のＮレンズ群は、前記ＦＰレンズ群よりも接眼光学系側に配置され、負の屈折力を有する第３レンズで構成され、
前記正屈折力のＲＰレンズ群は、前記Ｎレンズ群よりも接眼光学系側に配置され、負の屈折力を有する第４レンズ及びその接眼光学系側に配された正の屈折力を有する第５レンズで構成され、
前記ＦＰレンズ群、前記Ｎレンズ群、前記ＲＰレンズ群の合成焦点距離をｆ1r、１次結像位置と前記第１レンズの１次結像位置側の光軸上の距離をｄ1 としたとき、下記の条件式を満足することを特徴とするファインダー光学系。
０．３＜ｄ1 ／ｆ1r＜３                                        ・・・（１）
【請求項２】
対物光学系により１次結像位置に形成された１次結像としての被写体像を２次結像位置に再結像させるリレー光学系と、前記リレー光学系により再結像された像を観察する接眼光学系とを備えたファインダー光学系において、
前記リレー光学系は、正屈折力のＦＰレンズ群、その接眼光学系側に配された負の屈折力を有するＮレンズ群、その接眼光学系側に配された正の屈折力を有するＲＰレンズ群を有し、
前記ＲＰレンズ群は１次結像位置側より順に負レンズと正レンズからなり、前記ＦＰレンズ群の最も２次結像位置側の面と前記Ｎレンズ群の２次結像位置側の面までの光軸上の距離をｄrf、前記Ｎレンズ群の２次結像位置側の面から前記ＲＰレンズ群の最も１次結像位置側の面までの光軸上の距離をｄrrとしたとき、下記の条件式（２）を満足することを特徴とするファインダー光学系。
０．２＜ｄrf／ｄrr＜０．８                                    ・・・（２）
【請求項３】
対物光学系により１次結像位置に形成された１次結像としての被写体像を２次結像位置に再結像させるリレー光学系と、前記リレー光学系により再結像された像を観察する接眼光学系とを備えたファインダー光学系において、
前記リレー光学系は、正屈折力のＦＰレンズ群、負屈折力のＮレンズ群、正屈折力のＲＰレンズ群を有し、  
前記正屈折力のＦＰレンズ群は、正の屈折力を有する第１レンズ及びその接眼光学系側に配された正の屈折力を有する第２レンズから構成され、
前記負屈折力のＮレンズ群は、前記ＦＰレンズ群よりも接眼光学系側に配置され、負の屈折力を有する第３レンズで構成され、
前記正屈折力のＲＰレンズ群は、前記Ｎレンズ群よりも接眼光学系側に配置され、
前記ＦＰレンズ群、前記Ｎレンズ群、前記ＲＰレンズ群の合成焦点距離をｆ1r、１次結像位置と前記第１レンズの１次結像位置側の光軸上の距離をｄ1 とし、前記ＲＰレンズ群の２次結像位置側の面から２次結像位置までの光軸上の距離をｄs としたとき、下記の条件式（１）、（３）を満足することを特徴とするファインダー光学系。
０．３＜ｄ1 ／ｆ1r＜３                                        ・・・（１）
０．５＜ｄs ／ｆ1r＜２                                        ・・・（３）
【請求項４】
対物光学系により１次結像位置に形成された１次結像としての被写体像を２次結像位置に再結像させるリレー光学系と、前記リレー光学系により再結像された像を観察する接眼光学系とを備えたファインダー光学系において、
前記リレー光学系は、正屈折力のＦＰレンズ群、負屈折力のＮレンズ群、正屈折力のＲＰレンズ群を有し、  
前記正屈折力のＦＰレンズ群は、正の屈折力を有する第１レンズ及びその接眼光学系側に配された正の屈折力を有する第２レンズから構成され、
前記負屈折力のＮレンズ群は、前記ＦＰレンズ群よりも接眼光学系側に配置され、負の屈折力を有する第３レンズで構成され、
前記正屈折力のＲＰレンズ群は、前記Ｎレンズ群よりも接眼光学系側に配置され、負の屈折力を有する第４レンズ及びその接眼光学系側に配された正の屈折力を有する第５レンズで構成され、
前記ＦＰレンズ群、前記Ｎレンズ群、前記ＲＰレンズ群の合成焦点距離をｆ1r、１次結像位置と前記第１レンズの１次結像位置側の光軸上の距離をｄ1 、前記ＦＰレンズ群の最も２次結像位置側の面と前記Ｎレンズ群の２次結像位置側の面までの光軸上の距離をｄrf、前記Ｎレンズ群の２次結像位置側の面から前記ＲＰレンズ群の最も１次結像位置側の面までの光軸上の距離をｄrr、前記ＲＰレンズ群の２次結像位置側の面から２次結像位置までの光軸上の距離をｄs としたとき、下記の条件式（１）、（２）、（３）を満足することを特徴とするファインダー光学系。
０．３＜ｄ1 ／ｆ1r＜３                                        ・・・（１）
０．２＜ｄrf／ｄrr＜０．８                                    ・・・（２）
０．５＜ｄs ／ｆ1r＜２                                        ・・・（３）
【請求項５】
前記正のＲＰレンズ群の２次結像位置側面と２次結像位置の間に、条件式（４）を満足するようにリレー光学系補助レンズを配したことを特徴とする請求項１から４の何れか１項記載のファインダー光学系。
０．２５＜ｄh ／ｄs ＜０．７５                                ・・・（４）
ただし、ｄh ：ＲＰレンズ群の２次結像位置側の面とリレー光学系補助レンズのＲＰレン              ズ群側の光軸上の距離、
ｄs ：ＲＰレンズ群の２次結像位置側の面から２次結像位置までの光軸上の距離              、
である。
【請求項６】
前記リレー光学系補助レンズの少なくとも１面に非球面を使用したことを特徴とする請求項５記載のファインダー光学系。
【請求項７】
前記ＲＰレンズ群は負レンズと正レンズとを貼りあわせた接合レンズとしたことを特徴とする請求項１から６の何れか１項記載のファインダー光学系。          
【請求項８】
請求項１から７の何れか１項記載のファインダー光学系と、前記１結像位置に配された焦点板とを備えていることを特徴とする一眼レフカメラ。
【発明の詳細な説明】
【技術分野】
【０００１】
本発明は、ファインダー光学系及び一眼レフカメラに関し、特に、リレー式ファインダー光学系とそれを用いた一眼レフカメラに関するものである。
【背景技術】
【０００２】
従来のライカサイズより小さい撮像面を持った一眼レフカメラが提案され、商品化されている。特にＣＣＤやＣ−ＭＯＳ等の電子撮像素子を用いたもので、その市場の拡大がなされている。撮像面が小さくなったため、ファインダー系の倍率が大きいものが求められている。ファインダー倍率を大きくするには、ファインダー全系の焦点距離を短くすることが必要であるが、これは広く用いられているペンタプリズム式でファインダー系を構成することを困難にさせる。別の手法として、特許文献１、特許文献２等でリレー式ファインダー光学系が知られているが、性能が良く、小さい撮像面に適し、コンパクトにレイアウト可能なリレー式ファインダー光学系に用いることのできるリレー光学系は提案されていなかった。
【特許文献１】特開平４−３３７７０５号公報
【特許文献２】特開平１−１０１５３０号公報
【発明の開示】
【発明が解決しようとする課題】
【０００３】
本発明は従来技術のこのような問題点に鑑みてなされたものであり、その目的は、比較的小さい撮像素子を用いる一眼レフカメラにも対応可能で、コンパクトなリレー式ファインダー光学系とそれを用いた一眼レフカメラを提供することである。
【課題を解決するための手段】
【０００４】
本発明の第１のファインダー光学系は、対物光学系により１次結像位置に形成された１次結像としての被写体像を２次結像位置に再結像させるリレー光学系と、前記リレー光学系により再結像された像を観察する接眼光学系とを備えたファインダー光学系において、
前記リレー光学系は、正屈折力のＦＰレンズ群、負屈折力のＮレンズ群、正屈折力のＲＰレンズ群を有し、  
前記正屈折力のＦＰレンズ群は、正の屈折力を有する第１レンズ及びその接眼光学系側に配された正の屈折力を有する第２レンズから構成され、
前記負屈折力のＮレンズ群は、前記ＦＰレンズ群よりも接眼光学系側に配置され、負の屈折力を有する第３レンズで構成され、
前記正屈折力のＲＰレンズ群は、前記Ｎレンズ群よりも接眼光学系側に配置され、負の屈折力を有する第４レンズ及びその接眼光学系側に配された正の屈折力を有する第５レンズで構成され、
前記ＦＰレンズ群、前記Ｎレンズ群、前記ＲＰレンズ群の合成焦点距離をｆ1r、１次結像位置と前記第１レンズの１次結像位置側の光軸上の距離をｄ1 としたとき、下記の条件式を満足することを特徴とするものである。
【０００５】
０．３＜ｄ1 ／ｆ1r＜３                                        ・・・（１）
以下に、第１のファインダー光学系において、上記構成をとる理由と作用効果を説明する。
【０００６】
本発明におけるリレーレンズは、正のＦＰレンズ群、負のＮレンズ群、正のＲＰレンズ群をこの順序で配し、再結像機能と収差補正を行っている。このレンズ群の配置とすることで、屈折力の対称性が良くなり、収差補正に有利となる。
【０００７】
さらに、正のＦＰレンズ群の正屈折力を２枚の正レンズで分担し、緩い曲率のレンズ面で必要なパワーを得るように構成することにより良好な収差補正を行っている。
【０００８】
正のＲＰレンズ群は１次結像面側から負レンズと正レンズの２枚にて構成し、色収差補正を行っている。
【０００９】
上記条件式（１）の下限の０．３を越えると、第１レンズが１次結像面に近づきすぎるので、第１レンズのパワーの再結像への寄与が小さくなる。それに伴い、第２レンズ、第５レンズの再結像のための負荷が高くなり、球面収差等が発生しやすくなり好ましくない。条件式（１）の上限の３を越えると、リレー光学系の全長が長くなりやすくなる。また、全長を小さく保ちつつリレー光学系を構成すると、少ない枚数で収差補正を行うことが難しくなり、構成枚数が増えたりしてしまい、コンパクト性確保の点や近軸配置上好ましくない。
【００１０】
上記条件式（１）について、その下限値を０．８、さらには１．２とすることが好ましい。
【００１１】
また、その上限値を２．４、さらには１．８とすることが好ましい。
【００１２】
本発明の第２のファインダー光学系は、対物光学系により１次結像位置に形成された１次結像としての被写体像を２次結像位置に再結像させるリレー光学系と、前記リレー光学系により再結像された像を観察する接眼光学系とを備えたファインダー光学系において、
前記リレー光学系は、正屈折力のＦＰレンズ群、その接眼光学系側に配された負の屈折力を有するＮレンズ群、その接眼光学系側に配された正の屈折力を有するＲＰレンズ群を有し、
前記ＲＰレンズ群は１次結像位置側より順に負レンズと正レンズからなり、前記ＦＰレンズ群の最も２次結像位置側の面と前記Ｎレンズ群の２次結像位置側の面までの光軸上の距離をｄrf、前記Ｎレンズ群の２次結像位置側の面から前記ＲＰレンズ群の最も１次結像位置側の面までの光軸上の距離をｄrrとしたとき、下記の条件式（２）を満足することを特徴とするものである。
【００１３】
０．２＜ｄrf／ｄrr＜０．８                                    ・・・（２）
以下に、第２のファインダー光学系において、上記構成をとる理由と作用効果を説明する。
【００１４】
本発明におけるリレーレンズは、正のＦＰレンズ群、負のＮレンズ群、正のＲＰレンズ群をこの順序で配し、再結像機能と収差補正を行っている。このレンズ群の配置とすることで、屈折力の対称性が良くなり、収差補正に有利となる。
【００１５】
さらに、ＲＰレンズを負レンズと正レンズで構成し、条件式（２）を満足させることにより、Ｎレンズ群の負成分とＲＰレンズ群の負レンズの距離を適切にとることが好ましい。それにより、軸上色収差と軸外色収差を良好に補正できる。
【００１６】
条件式（２）の下限の０．２を越えると、Ｎレンズ群とＲＰレンズ群が離れすぎ、リレー光学系の全長が長くなったり、構成枚数が増えたりし、コンパクト性確保の点や近軸配置上好ましくない。その上限の０．８を越えると、負レンズが近づきすぎ、軸上色収差と軸外色収差との補正のバランスがとり難くなる。
【００１７】
好ましくは、Ｎレンズ群は１つの負レンズから構成されるのが望ましい。そのようにすることで、リレー光学系をコンパクトにできる。好ましくは、ＦＰレンズ群は２つの正レンズから構成されるのが望ましい。そのようにして緩い曲率のレンズ面で必要なパワーを得るように構成することにより、良好な収差補正を行うことができる。
【００１８】
上記条件式（２）について、その下限値を０．３、さらには０．４とすることが好ましい。
【００１９】
また、その上限値を０．６５、さらには０．５５とすることが好ましい。
【００２０】
本発明の第３のファインダー光学系は、対物光学系により１次結像位置に形成された１次結像としての被写体像を２次結像位置に再結像させるリレー光学系と、前記リレー光学系により再結像された像を観察する接眼光学系とを備えたファインダー光学系において、
前記リレー光学系は、正屈折力のＦＰレンズ群、負屈折力のＮレンズ群、正屈折力のＲＰレンズ群を有し、  
前記正屈折力のＦＰレンズ群は、正の屈折力を有する第１レンズ及びその接眼光学系側に配された正の屈折力を有する第２レンズから構成され、
前記負屈折力のＮレンズ群は、前記ＦＰレンズ群よりも接眼光学系側に配置され、負の屈折力を有する第３レンズで構成され、
前記正屈折力のＲＰレンズ群は、前記Ｎレンズ群よりも接眼光学系側に配置され、
前記ＦＰレンズ群、前記Ｎレンズ群、前記ＲＰレンズ群の合成焦点距離をｆ1r、１次結像位置と前記第１レンズの１次結像位置側の光軸上の距離をｄ1 とし、前記ＲＰレンズ群の２次結像位置側の面から２次結像位置までの光軸上の距離をｄs としたとき、下記の条件式（１）、（３）を満足することを特徴とするものである。
【００２１】
０．３＜ｄ1 ／ｆ1r＜３                                        ・・・（１）
０．５＜ｄs ／ｆ1r＜２                                        ・・・（３）
以下に、第３のファインダー光学系において、上記構成をとる理由と作用効果を説明する。
【００２２】
本発明におけるリレーレンズは、正のＦＰレンズ群、負のＮレンズ群、正のＲＰレンズ群をこの順序で配し、再結像機能と収差補正を行っている。このレンズ群の配置とすることで、屈折力の対称性が良くなり、収差補正に有利となる。
【００２３】
さらに、正のＦＰレンズ群の正屈折力を２枚の正レンズで分担し、緩い曲率のレンズ面で必要なパワーを得るように構成することにより良好な収差補正を行っている。
【００２４】
上記条件式（１）の下限の０．３を越えると、第１レンズが１次結像面に近づきすぎるので、第１レンズのパワーの再結像への寄与が小さくなる。それに伴い、第２レンズ、ＲＰレンズ群の正レンズの再結像のための負荷が高くなり、球面収差等が発生しやすくなり好ましくない。条件式（１）の上限の３を越えると、リレー光学系の全長が長くなりやすくなる。また、全長を小さく保ちつつリレー光学系を構成すると、少ない枚数で収差補正を行うことが難しくなり、構成枚数が増えたりしてしまい、コンパクト性確保の点や近軸配置上好ましくない。
【００２５】
条件式（３）の下限の０．５を越えると、ＲＰレンズ群が２次結像面に近づきすぎるので、ＲＰレンズ群のパワーの再結像への寄与が小さくなる。それに伴い、第１レンズ、第２レンズの負荷が高くなり、球面収差が出やすくなる。その上限の２を越えると、リレー光学系の全長が長くなったり、構成枚数が増えたりしてしまい、コンパクト性確保の点や近軸配置上好ましくない。
【００２６】
上記条件式（１）について、その下限値を０．８、さらには１．２とすることが好ましい。
【００２７】
また、その上限値を２．４、さらには１．８とすることが好ましい。
【００２８】
上記条件式（３）について、その下限値を０．７、さらには１．０とするとより好ましい。
【００２９】
また、その上限値を１．７、さらには１．５とするとより好ましい。
【００３０】
本発明においては、前述の第１のファインダー光学系の構成、第２のファインダー光学系の構成、第３のファインダー光学系の構成の何れか複数を同時に満足するようにしてもよい。
【００３１】
例えば、本発明の第４のファインダー光学系は、対物光学系により１次結像位置に形成された１次結像としての被写体像を２次結像位置に再結像させるリレー光学系と、前記リレー光学系により再結像された像を観察する接眼光学系とを備えたファインダー光学系において、
前記リレー光学系は、正屈折力のＦＰレンズ群、負屈折力のＮレンズ群、正屈折力のＲＰレンズ群を有し、  
前記正屈折力のＦＰレンズ群は、正の屈折力を有する第１レンズ及びその接眼光学系側に配された正の屈折力を有する第２レンズから構成され、
前記負屈折力のＮレンズ群は、前記ＦＰレンズ群よりも接眼光学系側に配置され、負の屈折力を有する第３レンズで構成され、
前記正屈折力のＲＰレンズ群は、前記Ｎレンズ群よりも接眼光学系側に配置され、負の屈折力を有する第４レンズ及びその接眼光学系側に配された正の屈折力を有する第５レンズで構成され、
前記ＦＰレンズ群、前記Ｎレンズ群、前記ＲＰレンズ群の合成焦点距離をｆ1r、１次結像位置と前記第１レンズの１次結像位置側の光軸上の距離をｄ1 、前記ＦＰレンズ群の最も２次結像位置側の面と前記Ｎレンズ群の２次結像位置側の面までの光軸上の距離をｄrf、前記Ｎレンズ群の２次結像位置側の面から前記ＲＰレンズ群の最も１次結像位置側の面までの光軸上の距離をｄrr、前記ＲＰレンズ群の２次結像位置側の面から２次結像位置までの光軸上の距離をｄs としたとき、下記の条件式（１）、（２）、（３）を満足することを特徴とするファインダー光学系、
０．３＜ｄ1 ／ｆ1r＜３                                        ・・・（１）
０．２＜ｄrf／ｄrr＜０．８                                    ・・・（２）
０．５＜ｄs ／ｆ1r＜２                                        ・・・（３）
として構成することができる。
【００３２】
本発明の第５のファインダー光学系は、第１〜第４のファインダー光学系において、前記正のＲＰレンズ群の２次結像位置側面と２次結像位置の間に、条件式（４）を満足するようにリレー光学系補助レンズを配したことを特徴とするものである。
【００３３】
０．２５＜ｄh ／ｄs ＜０．７５                                ・・・（４）
ただし、ｄh ：ＲＰレンズ群の２次結像位置側の面とリレー光学系補助レンズのＲＰレン              ズ群側の光軸上の距離、
ｄs ：ＲＰレンズ群の２次結像位置側の面から２次結像位置までの光軸上の距離              、
である。
【００３４】
以下に、第５のファインダー光学系において、上記構成をとる理由と作用効果を説明する。
【００３５】
ＲＰレンズ群とリレー光学系補助レンズの間にある程度の距離を置くことにより、軸上光束と軸外光束を分離させ、軸外の収差補正効果を高めている。また、２次結像動作におけるコンデンサー機能や瞳収差補正機能を補完させることができる。条件式（４）の下限の０．２５を越えると、軸上光束と軸外光束との分離が十分でなく、上限の０．７５を越えると、結像位置に近づきすぎ、何れも結像収差補正への効果を出すのが困難になる。望ましくは、リレー光学系補助レンズは正レンズであることが望ましい。
【００３６】
上記条件式（４）について、その下限値を０．３、さらには０．４とすることが好ましい。
【００３７】
また、その上限値を０．６、さらには０．５とすることが好ましい。
【００３８】
本発明の第６のファインダー光学系は、第５のファインダー光学系において、前記リレー光学系補助レンズの少なくとも１面に非球面を使用したことを特徴とするものである。
【００３９】
以下に、第６のファインダー光学系において、上記構成をとる理由と作用効果を説明する。
【００４０】
リレー光学系補助レンズに非球面を用いることにより、分離性が大きい軸外光束を効果的にコントロールすることができ、軸外の収差補正効果を高めている。                      
【００４１】
本発明の第７のファインダー光学系は、第１〜第６のファインダー光学系において、前記ＲＰレンズ群は負レンズと正レンズとを貼りあわせた接合レンズとしたことを特徴とするものである。
【００４２】
以下に、第７のファインダー光学系において、上記構成をとる理由と作用効果を説明する。
【００４３】
ＲＰレンズ群を接合レンズにすることにより、偏心感度を低くし、色収差補正に有利となる。また、高次収差の発生を抑え、レンズ厚のコントロールを容易に行うことができる。
【００４４】
以上の第１から第７のの何れか１項記載のファインダー光学系と、１結像位置に配された焦点板とを備えている一眼レフカメラとすることで、小さい撮像素子を用いる場合であっても、良好な被写体観察が可能なカメラとなる。
【発明の効果】
【００４５】
以上の本発明によると、屈折力の対称性が良く、良好な収差補正を行っている、コンパクトなリレー式ファインダー光学系を実現することができ、比較的小さい撮像素子を用いる一眼レフカメラにも対応可能であり、コンパクトなリレー式ファインダー光学系とそれを用いた一眼レフカメラを提供することができる。
【発明を実施するための最良の形態】
【００４６】
以下に、本発明のファインダー光学系及び一眼レフカメラを実施例に基づいて説明する。
【００４７】
図１に、本発明の実施例１のファインダー光学系を展開して光軸に沿ってとった断面図を示す。
【００４８】
図１において、このファインダー光学系は、面ｒ7 〜ｒ8 で示される正屈折力の第１レンズ、面ｒ9 〜ｒ10で示される正屈折力の第２レンズ、面ｒ12〜ｒ13で示される負屈折力の第３レンズ、面ｒ14〜ｒ16で示される負屈折力の第４レンズと正屈折力の第５レンズの接合レンズからなり正屈折力を有するレンズ群、面ｒ18〜ｒ19で示される正屈折力のリレー光学系補助レンズ、及び、面ｒ21〜ｒ22で示される正屈折力のコンデンサーレンズからなり、面ｒ1 で示される１次結像位置に形成された１次像としての被写体像を面ｒ23で示される２次結像位置に再結像させるものであり、第２レンズと第３レンズの間に面ｒ11で示される明るさ絞りを備えている。この実施例において、面ｒ23の２次結像位置はコンデンサーレンズ２６の１次結像側と反対の面ｒ22と一致している。
【００４９】
２次結像位置ｒ23に再結像された像は、面ｒ26〜ｒ28で示される両凹負レンズと両凸正レンズの接合レンズと、面ｒ29〜ｒ30で示される両凸正レンズと、面ｒ31〜ｒ32で示される凸平正レンズとからなる接眼光学系を介して、面ｒ33に位置する観察者の瞳、すなわち、アイポイントＥＰを経て拡大観察される。
【００５０】
なお、図１の構成において、１次結像位置と第１レンズの間の面ｒ2 〜ｒ5 は光軸を屈曲させる後記のプリズム１３を、面ｒ6 は光軸を折り曲げる後記のミラー１４を想定しており、第５レンズとリレー光学系補助レンズの間の面ｒ17、リレー光学系補助レンズとコンデンサーレンズの間の面ｒ20はそれぞれ光軸を折り曲げる後記のミラー１５、１６を想定している。また、２次結像位置と接眼光学系の間の面ｒ24〜ｒ25で示される平行平板は、後記の防塵ガラス３２を想定している。
【００５１】
この実施例の数値データは後記するが、ファインダー光学系を構成する第１レンズは１次結像位置側に凸面を向けた正メニスカスレンズからなり、第２レンズは１次結像位置側に凸面を向けた正メニスカスレンズからなり、第３レンズは両凹負レンズからなり、第４レンズは１次結像位置側に凸面を向けた負メニスカスレンズからなり、第５レンズは両凸正レンズからなり、リレー光学系補助レンズは１次結像位置側に凸面を向けた正メニスカスレンズからなり、また、コンデンサーレンズは凸平正レンズからなっている。
【００５２】
そして、第１レンズの１次結像位置側の面ｒ7 、リレー光学系補助レンズの両面ｒ18、ｒ19、コンデンサーレンズの１次結像位置側の面ｒ21には非球面が用いられている。
【００５３】
なお、後記する数値データ中には、視度調節する面間隔ｄ25、ｄ30と視度（ｄｉｏｐｔｅｒ）の関係を示してある。
【００５４】
図２に、本発明の実施例２のファインダー光学系を展開して光軸に沿ってとった断面図を示す。基本的には、図１の実施例と略同じであり、異なる点は、リレー光学系補助レンズが両凸正レンズからなり、接眼光学系の最もアイポイント側のレンズが両凸正レンズからなる点と、非球面がリレー光学系補助レンズの両面ｒ18、ｒ19、コンデンサーレンズの１次結像位置側の面ｒ21の３面に用いられている点であり、他は実施例１と同様である。
【００５５】
以下に上記実施例１〜２の数値データを示すが、ｒ1 、ｒ2 …は各レンズ面（光学面）の曲率半径、ｄ1 、ｄ2 …は各レンズ面（光学面）間の間隔、ｎd1、ｎd2…は各レンズ（光学媒質）のｄ線の屈折率、νd1、νd2…は各レンズ（光学媒質）のアッベ数である。なお、非球面形状は、ｘを光の進行方向を正とした光軸とし、ｙを光軸と直交する方向にとると、下記の式にて表される。
【００５６】
ｘ＝（ｙ2 ／ｒ）／［１＋｛１−（Ｋ＋１）（ｙ／ｒ）2 ｝1/2 ］
＋Ａ4 ｙ4 ＋Ａ6 ｙ6 
ただし、ｒは近軸曲率半径、Ｋは円錐係数、Ａ4 、Ａ6 はそれぞれ４次、６次の非球面係数である。
【００５７】
実施例１（−１ｄｉｏｐｔｅｒ）
ｒ1 =     ∞（１次結像面）  ｄ1 =  7.00     
ｒ2 =     ∞                ｄ2 = 10.00     ｎd1 =1.51633 νd1 =64.14 
ｒ3 =     ∞                ｄ3 = 22.80     ｎd2 =1.51633 νd2 =64.14 
ｒ4 =     ∞                ｄ4 = 10.80     ｎd3 =1.51633 νd3 =64.14 
ｒ5 =     ∞                ｄ5 =  8.92     
ｒ6 =     ∞                ｄ6 =  7.88     
ｒ7 =    14.94（非球面）    ｄ7 =  4.72     ｎd4 =1.69350 νd4 =53.21 
ｒ8 =   200.43              ｄ8 =  0.44     
ｒ9 =    14.06              ｄ9 =  4.81     ｎd5 =1.80400 νd5 =46.57 
ｒ10=    25.38              ｄ10=  2.09     
ｒ11=     ∞（絞り）        ｄ11=  0.75     
ｒ12=   -14.50              ｄ12=  1.10     ｎd6 =1.84666 νd6 =23.78 
ｒ13=    10.42              ｄ13=  8.92     
ｒ14=   300.05              ｄ14=  1.60     ｎd7 =1.71736 νd7 =29.52 
ｒ15=    26.50              ｄ15=  5.46     ｎd8 =1.80400 νd8 =46.57 
ｒ16=   -22.88              ｄ16= 10.71     
ｒ17=     ∞                ｄ17= 11.22     
ｒ18=    30.04（非球面）    ｄ18=  5.55     ｎd9 =1.52542 νd9 =55.78 
ｒ19=   276.45（非球面）    ｄ19= 10.67     
ｒ20=     ∞                ｄ20= 11.00     
ｒ21=    56.07（非球面）    ｄ21=  3.05     ｎd10=1.52542 νd10=55.78 
ｒ22=     ∞                ｄ22=  0.00     
ｒ23=     ∞（２次結像面）  ｄ23=  4.14     
ｒ24=     ∞                ｄ24=  1.00     ｎd11=1.51633 νd11=64.14 
ｒ25=     ∞                ｄ25=  7.68     
ｒ26=   -14.71              ｄ26=  1.37     ｎd12=1.84666 νd12=23.78 
ｒ27=    66.77              ｄ27=  6.56     ｎd13=1.60311 νd13=60.64 
ｒ28=   -20.00              ｄ28=  0.50     
ｒ29=   244.69              ｄ29=  3.62     ｎd14=1.78590 νd14=44.20 
ｒ30=   -39.79              ｄ30=  3.36     
ｒ31=    37.55              ｄ31=  3.30     ｎd15=1.83400 νd15=37.16 
ｒ32=     ∞                ｄ32= 23.00     
ｒ33=     ∞（観察者の瞳）  
非球面係数
第７面
Ｋ  =  0.1155 
Ａ4 =  6.48 ×10-6
第１８面
Ｋ  = -0.8404 
Ａ4 =  1.39 ×10-5
第１９面
Ｋ  = 84.0521 
Ａ4 =  1.29 ×10-5
第２１面
Ｋ  = -0.6627 
Ａ4 =  3.05 ×10-5
視度調整量  -1diopter -3diopter +1diopter 
ｄ25         7.68      5.50      9.84 
ｄ30         3.36      5.54      1.20                                       。
【００５８】
実施例２（−１ｄｉｏｐｔｅｒ）
ｒ1 =     ∞（１次結像面）  ｄ1 =  7.00     
ｒ2 =     ∞                ｄ2 = 10.00     ｎd1 =1.51633 νd1 =64.14 
ｒ3 =     ∞                ｄ3 = 22.80     ｎd2 =1.51633 νd2 =64.14 
ｒ4 =     ∞                ｄ4 = 10.80     ｎd3 =1.51633 νd3 =64.14 
ｒ5 =     ∞                ｄ5 =  8.92     
ｒ6 =     ∞                ｄ6 =  7.88     
ｒ7 =    14.32              ｄ7 =  4.64     ｎd4 =1.71300 νd4 =53.87 
ｒ8 =   484.25              ｄ8 =  0.41     
ｒ9 =    15.50              ｄ9 =  4.78     ｎd5 =1.80400 νd5 =46.57 
ｒ10=    23.20              ｄ10=  2.07     
ｒ11=     ∞（絞り）        ｄ11=  0.75     
ｒ12=   -15.23              ｄ12=  1.33     ｎd6 =1.84666 νd6 =23.78 
ｒ13=    10.30              ｄ13=  8.86     
ｒ14=   312.27              ｄ14=  1.49     ｎd7 =1.71736 νd7 =29.52 
ｒ15=    27.57              ｄ15=  5.55     ｎd8 =1.80400 νd8 =46.57 
ｒ16=   -22.16              ｄ16= 10.71     
ｒ17=     ∞                ｄ17= 11.24     
ｒ18=    31.04（非球面）    ｄ18=  5.53     ｎd9 =1.52542 νd9 =55.78 
ｒ19=  -291.42（非球面）    ｄ19= 10.67     
ｒ20=     ∞                ｄ20= 11.00     
ｒ21=    52.58（非球面）    ｄ21=  3.05     ｎd10=1.49236 νd10=57.86 
ｒ22=     ∞                ｄ22=  0.00     
ｒ23=     ∞（２次結像面）  ｄ23=  4.14     
ｒ24=     ∞                ｄ24=  1.00     ｎd11=1.51633 νd11=64.14 
ｒ25=     ∞                ｄ25=  7.66     
ｒ26=   -14.33              ｄ26=  1.34     ｎd12=1.84666 νd12=23.78 
ｒ27=    75.22              ｄ27=  6.54     ｎd13=1.60311 νd13=60.64 
ｒ28=   -20.34              ｄ28=  0.50     
ｒ29=   238.56              ｄ29=  3.80     ｎd14=1.78590 νd14=44.20 
ｒ30=   -37.80              ｄ30=  3.31     
ｒ31=    40.09              ｄ31=  3.23     ｎd15=1.83400 νd15=37.16 
ｒ32=  -797.23              ｄ32= 23.00     
ｒ33=     ∞（観察者の瞳）  
非球面係数
第１８面
Ｋ  = -0.8405 
Ａ4 =  1.73 ×10-5
第１９面
Ｋ  = 84.0517 
Ａ4 =  1.64 ×10-5
第２１面
Ｋ  = -0.6627 
Ａ4 =  4.50 ×10-5
Ａ6 = -1.81 ×10-7
視度調整量  -1diopter -3diopter +1diopter 
ｄ25         7.66      5.48      9.81 
ｄ30         3.31      5.49      1.16                                       。
【００５９】
上記実施例１、２の収差図をそれぞれ図３、図４に示す。これらの収差図において、（ａ）は＋１ｄｉｏｐｔｅｒ時、（ｂ）は−１ｄｉｏｐｔｅｒ時、（ｃ）は−３ｄｉｏｐｔｅｒ時の球面収差（ＳＡ）、非点収差（ＡＳ）、歪曲収差（ＤＴ）、倍率色収差（ＣＣ）を示す。なお、図中、“φ”は瞳直径、“ω”は射出角を示す。これら収差図における収差状況は、１次結像面以降のファインダー光学系の収差状況を示すものである。
【００６０】
上記実施例１、２の条件式（１）〜（４）の値は次の通りである。
【００６１】
条件式（１）  条件式（２）  条件式（３）  条件式（４）
ｄ1 ／ｆ1r    ｄrf／ｄrr    ｄs ／ｆ1r    ｄh ／ｄs 
実施例１    1.66          0.44          1.29          0.42
実施例２    1.65          0.47          1.28          0.42                  。
【００６２】
次に、上記実施例のようなファインダー光学系を適用した本発明の一眼レフカメラの例を説明する。図５は、本発明の実施例１のファインダー光学系を搭載した一眼レフカメラの構成を示す断面図である。図中、符号１は、この本発明の１実施例のファインダー光学系を搭載した一眼レフカメラである。符号２は、交換式の撮影レンズである。なお、撮影レンズ２はカメラボディと一体で構成されたものでもよい。
【００６３】
以下に、被写体から発して撮影レンズ２から射出された光束の進む順に従って説明する。
【００６４】
撮影レンズ２から射出された光束は、クイックリターンミラー１１で反射される。この例では、反射角９０°で反射させている。なお、クイックリターンミラー１１をハーフミラーとして透過した光束を焦点検出手段（不図示）に導くようにしてもよい。
【００６５】
以降、撮影レンズ２から射出された光軸がクイックリターンミラー１１で反射する位置を基準に、撮影レンズ２から射出された光軸に垂直で、クイックリターンミラー１１で光軸が反射された方向を上、撮影レンズ２の光軸と平行で撮影レンズ２の配される方向を被写体方向、撮影レンズ２の配される方向とは逆側を観察者方向と称する。  
【００６６】
クイックリターンミラー１１を反射した光束は、後で説明する撮像素子１０３と光学的に等価（共役）の位置（１次結像位置）に配置された焦点板１２に入射する。後述する図６で、被写体像が撮像素子１０３上に結像する場合、焦点板１２上にも結像する構成になっている。この焦点板１２はコンデンサーレンズの機能を有してもよい。
【００６７】
焦点板１２を射出した光束はプリズム１３に入射する。プリズム１３は、入射面１３ａ、反射面１３ｂ、反射面１３ｃ、射出面１３ｄを有している。入射面１３ａは、入射光軸に対して垂直であることが望ましい。入射面１３ａに入射した光束は、反射面１３ｂで被写体方向に反射する。このとき、全反射条件を満足することにより光量のロスが小さくなる。さらに、光束は、光軸が反射面１３ｃで被写体方向と上方向の成分を持つ（すなわち、このときの光軸方向は被写体方向と上方向の間にある）ように、上方向側に反射させる。このとき、全反射条件を満足することにより光量のロスが小さくなる。さらに、光束は、射出面１３ｄでプリズム１３を射出する。このとき、射出面１３ｄは光軸に垂直であることが望ましい。
【００６８】
プリズム１３を射出した光束は、さらにミラー１４で観察者方向に反射され、光軸は撮影レンズ２の光軸におよそ平行となる。
【００６９】
次に、リレー光学系を形成している、レンズ２１、レンズ２２、レンズ２３、レンズ２４を透過し、レンズ作用を受ける。図５の実施例においては、レンズ２１が被写体側に強い凸面を向けた正メニスカスレンズで、実施例１の第１レンズであり、レンズ２２が被写体側に強い凸面を向けた正メニスカスレンズで、実施例１の第２レンズであり、この２枚がＦＰレンズ群に相当する。レンズ２３が両凹負レンズで、実施例１の第３レンズであり、Ｎレンズ群に相当する。レンズ２４が合成のパワーが正の被写体側に凸面を向けた負メニスカスレンズと両凸正レンズの接合レンズである。この接合レンズ２４の負メニスカスレンズが実施例１の第４レンズであり、両凸正レンズが第５レンズである。この接合レンズ２４がＲＰレンズ群に相当する。ここに配置されるレンズ群の合成パワーは正になるように構成され、リレー光学系の主要部を担っている。
【００７０】
なお、その負レンズ２３付近に明るさ絞り３１を配置し、効率の良い瞳伝達を行ってもよい。
【００７１】
次に、光束はミラー１５で反射し、光軸は被写体方向かつ下方向側に屈曲する。さらに、ミラー１６で光軸は観察者方向に反射されるが、ミラー１５とミラー１６の間に正レンズ２５を配置することにより、リレー光学系の結像性能の向上と瞳伝達性能の向上を図っている。正レンズ２５はリレー系補助レンズに相当する。
【００７２】
ミラー１６で反射した光束は、２次結像位置１７近傍に配置されたコンデンサーレンズ２６に入射する。図５の実施例では、コンデンサーレンズ２６は被写体側に凸面を持った凸平正レンズで、平面側と２次結像位置１７を実質的に一致させている。
【００７３】
さらに、光束は防塵ガラス３２を透過する。防塵ガラス３２は他の枠等と合わせて２次結像位置１７近傍のレンズ面にごみ等が付着するのを防止する。
【００７４】
さらに、光束は、接眼光学系を構成するレンズ２７、レンズ２８、レンズ２９でレンズ作用を受け、カメラボディから射出する。そして、光束は観察者の眼に導かれる。
【００７５】
なお、図１、図２には、図５中の構成要素と対応する構成要素に対応する符号を付してある。
【００７６】
図６は、図５の一眼レフカメラの撮影時の状況を示す図である。ただし、カメラボディを示す枠線は省いてある。
【００７７】
撮影時には、クイックリターンミラー１１は光路から退避し、撮影レンズ２を射出した光束は、フィルター１０１、フィルター１０２を順に透過し、撮像素子１０３へ入射する。ファイルター１０１、フィルター１０２は、赤外カットフィルター、ローパスフィルター、防塵フィルター等の機能を有し、特に２つとは限らない。撮像素子１０３は、ＣＣＤやＣ−ＭＯＳ等の電子撮像素子や、銀塩フィルムで構成される。
【００７８】
なお、本発明のファインダー光学系を用いた実施例において、組み立て等の製作時の誤差等による、１次結像位置と２次結像位置の共役関係のずれを、リレー光学系の１つ又は２つの間隔を調整して補正するようにしてもよい。
【００７９】
その場合、２つの間隔を用いて調整するとき、調整量の和が０となるようにすることにより、リレー光学系の一部を光軸方向に移動させて調整するようにしてもよい。
【００８０】
具体的には、以下の何れかの部位を調整するのが望ましい。すなわち、数値実施例１、２において、１次結像位置ｒ1 とレンズ（第１レンズ）２１の間隔ｄ6 の調整、レンズ２２（第２レンズ）とレンズ２３（第３レンズ）の間隔ｄ10＋ｄ11の調整、レンズ２３（第３レンズ）のみの移動、レンズ２４（第４レンズ＋第５レンズ）のみの移動、レンズ２５（リレー光学系補助レンズ）とレンズ２６（コンデンサーレンズ）の間隔調整等、何れで行ってもよい。
【００８１】
また、撮影レンズ２の光軸とレンズ２７〜２９の接眼光学系の光軸とを所定の関係にするために、リレー光学系内に配置されたミラー１４〜１６の位置を調整して補正してもよい。
【００８２】
また、本発明において、１次結像面近傍や１次結像面とＦＰレンズ群（第１レンズ＋第２レンズ）の間にレンズ作用面を設け、コンデンサー機能等を持たせたもよいし、ＲＰレンズ群（第４レンズ＋第５レンズ）と接眼レンズ群（レンズ２７〜２９）の間にレンズ作用面を設け、コンデンサー機能等を持たせてもよい。
【図面の簡単な説明】
【００８３】
【図１】本発明の実施例１のファインダー光学系を展開して光軸に沿ってとった断面図である。
【図２】本発明の実施例２のファインダー光学系を展開して光軸に沿ってとった断面図である。
【図３】実施例１の収差図である。
【図４】実施例２の収差図である。
【図５】本発明の実施例１のファインダー光学系を搭載した一眼レフカメラの構成を示す断面図である。
【図６】図５の一眼レフカメラの撮影時の状況を示す図である。
【符号の説明】
【００８４】
１…一眼レフカメラ
２…撮影レンズ
１１…クイックリターンミラー
１２…焦点板
１３…プリズム
１３ａ…入射面
１３ｂ、１３ｃ…反射面
１３ｄ…射出面
１４、１５、１６…ミラー
１７…２次結像位置
２１、２２、２３、２４…レンズ
２５…正レンズ
２６…コンデンサーレンズ
２７、２８、２９…レンズ（接眼光学系）
３１…絞り
３２…防塵ガラス
【図１】
2006259476.tif 000003
【図２】
2006259476.tif 000004
【図３】
2006259476.tif 000005
【図４】
2006259476.tif 000006
【図５】
2006259476.tif 000007
【図６】
2006259476.tif 000008